(57)【要約】【課題】新聞広告配送システムにおいて、顧客が関心を示す情報を容易に把握することで、特定情報の広告に関心を持つ読者に絞って配送可能とする。【解決手段】新聞または広告に印刷された識別子を用いて読者が新聞社に対して所望する特定の情報に関して請求したとき、新聞社がこの受取った読者からの請求内容に基づいて読者が所望する特定の情報に関する詳細情報を資料として第１印刷機２１で印刷し、印刷された資料を新聞と共に読者に配送する。【選択図】      図１
2010055418.tif 000002
【特許請求の範囲】
【請求項１】
新聞またはこの新聞と共に配送される広告に印刷された識別子を用いて読者が所望する特定の情報に関する請求を受取る情報請求受取手段と、
該情報請求受取手段が受取った読者からの請求内容に基づいて読者が所望する特定の情報に関する詳細情報を資料として印刷する第１印刷機と、
該第１印刷機により印刷された資料を新聞と共に読者に配送する配送手段と、
を備えることを特徴とする新聞広告配送システム。
【請求項２】
前記資料に印刷された読者が所望する特定の情報に基づいて商品購入の申し込みを受取る商品購入申し込み受取手段と、該商品購入申し込み受取手段が受取った読者からの申し込み内容を広告主に伝達する申し込み内容伝達手段とを設けることを特徴とする請求項１に記載の新聞広告配送システム。
【請求項３】
前記情報請求受取手段が受取った読者からの請求情報を記憶する一次関心情報データベースと、前記商品購入申し込み受取手段が受取った読者からの申し込み情報を記憶する二次関心情報データベースと、前記一次関心情報データベース及び前記二次関心情報データベースに記憶された情報に基づいて新聞またはこの新聞と共に配送される広告に読者に関心のある情報を印刷する第２印刷機とを設けることを特徴とする請求項２に記載の新聞広告配送システム。
【請求項４】
前記第２印刷機は、版を用いて所定の情報をシートに印刷する印刷機と、読者が関心のある特定の情報をシートの特定箇所にデジタル印刷するデジタル印刷機とを有することを特徴とする請求項３に記載の新聞広告配送システム。
【請求項５】
前記デジタル印刷機は、新聞または広告の特定箇所に読者識別情報を印刷可能であることを特徴とする請求項４に記載の新聞広告配送システム。
【発明の詳細な説明】
【技術分野】
【０００１】
本発明は、新聞や新聞に折り込まれる広告を用いて読者が所望する情報を提供する新聞広告配送システムに関するものである。
【背景技術】
【０００２】
新聞に折り込まれる折込広告（チラシ）は、商品や企業、商店のサービスの内容を効率良く伝える手段として従来から広く利用されている。この新聞の折込広告は、通常、折込会社によって新聞販売店へ持ち込まれ、新聞販売店が折込会社の指示に基づいて新聞に所定の折込広告を挿入し、これを読者に配達するようにしている。
【０００３】
広告を新聞に折り込んで読者に配付する方法は、特定の地域の家庭に集中的にチラシを行き渡らせることができる点で優れている。しかし、受け取る読者側の関心内容に拘らず配付されるため、配付されたチラシの枚数の割にはチラシを受け取った人々の反応が小さい。そのため、広告主は、広告の内容に関心を持つ人にターゲットを絞ってチラシを配付したいと考えている。一方、チラシを受け取る読者も、関心のある内容であればチラシを受け取ってもよいが、関心のない内容であればチラシは無駄であり、受け取りたくないと考えている。
【０００４】
そこで、例えば、下記特許文献１に記載された広告管理サーバでは、配付を依頼された広告ごとに広告主が宣伝したい内容を示す宣伝情報を記憶する広告データベースと、各顧客の関心を示す関心情報を記憶する関心事データベースを設け、各顧客が広告の受取りを希望しているか否かをその顧客の関心情報及びその広告の宣伝情報に基づいて判別し、受取りを希望する顧客の分だけその広告を印刷し、受取りを希望する顧客ごとにその印刷物を配布するようにしている。
【０００５】
【特許文献１】特開２００４−０５３６４９号公報
【発明の開示】
【発明が解決しようとする課題】
【０００６】
広告主が顧客の関心を示す情報を定量的に把握することは困難であり、これらの情報を収集するには、無作為にアンケートを実施する必要があり、膨大なコストがかかってしまう。
【０００７】
本発明は上述した課題を解決するものであり、顧客が関心を示す情報を容易に把握することで、特定情報の広告に関心を持つ読者に絞って配送可能とする新聞広告配送システムを提供することを目的とする。
【課題を解決するための手段】
【０００８】
上記の目的を達成するための請求項１の発明の新聞広告配送システムは、新聞またはこの新聞と共に配送される広告に印刷された識別子を用いて読者が所望する特定の情報に関する請求を受取る情報請求受取手段と、該情報請求受取手段が受取った読者からの請求内容に基づいて読者が所望する特定の情報に関する詳細情報を資料として印刷する第１印刷機と、該第１印刷機により印刷された資料を新聞と共に読者に配送する配送手段と、を備えることを特徴とするものである。
【０００９】
請求項２の発明の新聞広告配送システムでは、前記資料に印刷された読者が所望する特定の情報に基づいて商品購入の申し込みを受取る商品購入申し込み受取手段と、該商品購入申し込み受取手段が受取った読者からの申し込み内容を広告主に伝達する申し込み内容伝達手段とを設けることを特徴としている。
【００１０】
請求項３の発明の新聞広告配送システムでは、前記情報請求受取手段が受取った読者からの請求情報を記憶する一次関心情報データベースと、前記商品購入申し込み受取手段が受取った読者からの申し込み情報を記憶する二次関心情報データベースと、前記一次関心情報データベース及び前記二次関心情報データベースに記憶された情報に基づいて新聞またはこの新聞と共に配送される広告に読者に関心のある情報を印刷する第２印刷機とを設けることを特徴としている。
【００１１】
請求項４の発明の新聞広告配送システムでは、前記第２印刷機は、版を用いて所定の情報をシートに印刷する印刷機と、読者が関心のある特定の情報をシートの特定箇所にデジタル印刷するデジタル印刷機とを有することを特徴としている。
【００１２】
請求項５の発明の新聞広告配送システムでは、前記デジタル印刷機は、新聞または広告の特定箇所に読者識別情報を印刷可能であることを特徴としている。
【発明の効果】
【００１３】
請求項１の発明の新聞広告配送システムによれば、新聞または広告に印刷された識別子を用いて読者が所望する特定の情報に関する請求を受取る情報請求受取手段と、この受取った読者からの請求内容に基づいて読者が所望する特定の情報に関する詳細情報を資料として印刷する第１印刷機と、印刷された資料を新聞と共に読者に配送する配送手段とを設けている。従って、新聞または広告の識別子を用いて読者が所望する特定の情報を得ることで、顧客が関心を示す情報を容易に把握することができ、特定情報の広告に関心を持つ読者に絞って特定の情報に関する詳細情報の資料を配送することができる。
【００１４】
請求項２の発明の新聞広告配送システムによれば、資料に印刷された読者が所望する特定の情報に基づいて商品購入の申し込みを受取る商品購入申し込み受取手段と、この受取った読者から申し込み内容を広告主に伝達する申し込み内容伝達手段とを設けるので、読者は商品の購入を容易に行うことができる。
【００１５】
請求項３の発明の新聞広告配送システムによれば、読者からの請求情報を記憶する一次関心情報データベースと、読者からの申し込み情報を記憶する二次関心情報データベースと、一次関心情報データベース及び二次関心情報データベースに記憶された情報に基づいて新聞または広告に読者に関心のある情報を印刷する第２印刷機とを設けるので、２つのデータベースを用いて読者が特に関心のある情報を把握することができると共に、この得に関心のある情報を第２印刷機により容易に印刷することができる。
【００１６】
請求項４の発明の新聞広告配送システムによれば、第２印刷機として、版を用いて所定の情報をシートに印刷する印刷機と、読者が関心のある特定の情報をシートの特定箇所にデジタル印刷するデジタル印刷機とを設けるので、輪転印刷機により一般的な記事や広告を印刷し、デジタル印刷機により読者が関心のある特定の情報を印刷するため、新聞や広告を短時間で効率的に印刷することができる。
【００１７】
請求項５の発明の新聞広告配送システムによれば、デジタル印刷機は、新聞または広告の特定箇所に読者識別情報を印刷可能とするので、デジタル印刷機により読者識別情報を容易に印刷することができると共に、この読者識別情報を用いて配送を円滑に行うことができる。
【発明を実施するための最良の形態】
【００１８】
以下に添付図面を参照して、本発明に係る新聞広告配送システムの好適な実施例を詳細に説明する。なお、この実施例により本発明が限定されるものではない。
【実施例】
【００１９】
図１は、本発明の一実施例に係る新聞広告配送システムを表す概略構成図、図２は、本実施例の新聞広告配送システムにおける新聞広告の配送方法を表すフローチャート、図３は、オフセット輪転印刷機による印刷方法を表すフローチャート、図４は、インクジェットプリンタによる印刷方法を表すフローチャート、図５は、発送システムによる発送方法を表すフローチャートである。
【００２０】
本実施例の新聞広告配送システムにおいて、図１に示すように、新聞社には、管理サーバ１１に対して操作端末１２が接続されており、ネットワーク（インターネット、イントラネット、公衆回線、専用回線など）２０に接続可能となっている。この管理サーバ１１には、記事・広告データベース１３と、広告詳細データベース１４と、読者一次関心情報データベース１５と、読者二次関心情報データベース１６と、読者総合関心情報データベース１７とが接続されている。
【００２１】
また、管理サーバ１１には、３つの第１、第２、第３印刷機２１，２２，２３が接続されている。第１印刷機２１は、インクジェットプリンタなどのデジタル印刷機（オンデマンド印刷機）であり、第２印刷機２２は、オフセット輪転印刷機であり、第３印刷機２３は、インクジェットプリンタなどのデジタル印刷機（オンデマンド印刷機）がオフセット輪転印刷機に組み込まれたものである。そして、各印刷機２１，２２，２３に隣接して、新聞を配送先別に仕分けする発送システム２４が設けられており、各印刷機２１，２２，２３及び発送システム２４は、管理サーバ１１を介して操作端末１２により操作制御可能となっている。
【００２２】
なお、オフセット輪転印刷機は、版を用いて所定の情報をウェブ（シート）に印刷する印刷機であり、図示しないが、給紙装置と印刷装置とターンバー装置と折機とから構成されている。そして、印刷装置には、両面４色印刷を行う多色刷印刷ユニットと、両面２色印刷を行う２色刷印刷ユニットとが設けられている。この多色刷印刷ユニット及び２色刷印刷ユニットは、給紙装置から供給されたウェブに対して所定の印刷を行うことができる。インクジェットプリンタは、編集システムなどで作成したデータをそのまま受け取って印刷可能なデジタル印刷機である。この場合、インクジェットプリンタに代えて、電子印刷方式など、他の描画方式のプリンタを用いてもよい。
【００２３】
一方、管理サーバ１１には、ネットワーク２０を介して、読者が自宅に所有する操作端末（パーソナルコンピュータ）３１からアクセス可能となっている。この場合、読者は、事前に会員登録を行うことで、ＩＤ（利用者識別記号）とパスワードを受取り、このＩＤとパスワードを用いてログインすることができる。
【００２４】
また、管理サーバ１１には、ネットワーク２０を介して、広告主の管理サーバ４１が接続されており、この管理サーバ４１には操作端末４２が接続されている。この新聞社の管理サーバ４１と広告主の管理サーバ４１との間でも、ＩＤとパスワードを用いて通信可能となっている。
【００２５】
このように構成された本実施例の新聞広告配送システムは、新聞またはこの新聞と共に配送される広告に印刷された識別子を用いて読者が所望する特定の情報に関する請求を受取る情報請求受取手段と、この情報請求受取手段が受取った読者からの請求内容に基づいて読者が所望する特定の情報に関する詳細情報を資料として印刷する第１印刷機と、この第１印刷機により印刷された資料を新聞と共に読者に配送する配送手段とを有している。
【００２６】
ここで、情報請求受取手段は、新聞社の管理サーバ１１により機能し、第１印刷機は、上述した第１印刷機（インクジェットプリンタ）２１であり、配送手段は、新聞販売店の新聞配送システムである。この場合、第１印刷機２１は、シートに広告の詳細を印刷すると共に、ネットワークを通して情報の詳細を閲覧可能な識別子（１次元バーコード、２次元バーコードなど）ｂを印刷する。加えて読者の氏名、住所も印刷することも可能であるが、個人情報保護の観点から識別コードのみにとどめてもよい。その場合でも、新聞配送担当者が識別コードの読取装置を携帯することで、円滑な配送は可能である。
【００２７】
また、本実施例の新聞広告配送システムは、資料に印刷された読者が所望する特定の情報に基づいて商品購入の申し込みを受取る商品購入申し込み受取手段と、この商品購入申し込み受取手段が受取った読者からの申し込み内容を広告主に伝達する申し込み内容伝達手段とを有している。ここで、商品購入申し込み受取手段と内容伝達手段は、新聞社の管理サーバ１１により機能する。
【００２８】
また、本実施例の新聞広告配送システムは、上述したように、情報請求受取手段が受取った読者からの請求情報を記憶する読者一次関心情報データベース１５と、商品購入申し込み受取手段が受取った読者からの申し込み情報を記憶する読者二次関心情報データベース１６とを有すると共に、読者一次関心情報データベース１５と読者二次関心情報データベース１６に記憶された情報に基づいて読者が特に関心のある情報を記憶する読者総合関心情報データベース１７とを有している。そして、読者総合関心情報データベース１７に記憶された情報に基づいて新聞またはこの新聞と共に配送される広告に読者に関心のある情報を印刷する第２印刷機が設けられている。ここで、第２印刷機は、上述した第２印刷機（オフセット輪転印刷機）２２と、第３印刷機（インクジェットプリンタ＋オフセット輪転印刷機）２３である。
【００２９】
この場合、第２印刷機２２は、新聞の全紙を印刷するものであり、印刷ユニットの版胴には、新聞の全紙を印刷する刷版（図示略）が装着されている。また、第３印刷機２３にて、オフセット輪転印刷機は、新聞の表紙（第１面）の所定エリア（特定箇所）を除く全てを印刷し、新聞の表紙（第１面）を印刷する印刷ユニットの版胴には、新聞の表紙における所定エリア（特定箇所）が空白となる刷版（図示略）が装着されている。一方、インクジェットプリンタは、新聞の表紙（第１面）の所定エリアを印刷するものである。この所定エリアは、オフセット輪転印刷機の印刷ユニットにて、新聞の表紙における所定の空白エリアである。後述するが、インクジェットプリンタは、読者ごとの個別情報（政治、経済、金融、スポーツ、芸能、文化、生活、社会などの記事や広告）、そして、読者識別情報ｃを印刷する。加えて読者の氏名、住所も印刷することも可能であるが、個人情報保護の観点から識別コードのみにとどめてもよい。その場合でも、新聞配送担当者が識別コードの読取装置を携帯することで、円滑な配送は可能である。
【００３０】
ここで、上述した本実施例の新聞広告配送システムにおける新聞広告の配送方法について説明する。
【００３１】
本実施例の新聞広告配送方法において、図１及び図２に示すように、ステップＳ１１にて、読者に新聞が配達されると、この配達された通常の新聞５１には、記事や広告に加えて、ネットワークを通して情報の詳細を閲覧可能なＱＲコード（識別子：１次元バーコード、２次元バーコードなど、登録商標）Ａが印刷されている。このＱＲコードは、例えば、旅行の情報であれば、地域情報、プラン情報などに応じたものが印刷されている。
【００３２】
ステップＳ１２にて、読者は、この新聞５１に印刷された広告の情報の中から関心のある情報があれば、関心のある特定の情報のＱＲコードを、例えば、携帯電話のバーコード読み取り機能を用いて読み取り、この携帯電話またはパソコンなどの操作端末３１を用いてその情報を提供するサイトにアクセスする。そして、ステップ１３にて、読者は、このサイトに対して、事前に登録してあるＩＤとパスワードを用いてログインする。ステップＳ１４では、新聞社は、管理サーバ１１によりサイトにアクセスしたＩＤとパスワードにより読者（請求者）を確定する。
【００３３】
続いて、ステップＳ１５にて、読者は、サイトの表示にしたがって関心のある情報の詳細内容を請求する。この場合、操作に迷わないように、１クリックによる選択方法とすることが望ましい。ステップＳ１６では、新聞社は、管理サーバ１１によりサイトにアクセスした読者の関心情報を確定する。そして、ステップＳ１７にて、読者に関心のある情報内容（例えば、読者年齢層、分野、関心度など）を読者一次関心情報データベース１５に記憶させる。一方、ステップＳ１８にて、新聞社は、読者からの情報請求に対して、広告主に対して課金、つまり、ネットワーク２０を用いて請求する。
【００３４】
ステップＳ１９にて、新聞社は、読者から資料請求に対して、広告詳細データベース１４から対象となる情報を抽出し、ステップＳ２０にて、この抽出した情報をレイアウトすることで、印刷用データを生成する。ステップＳ２１では、このとき、読者（請求者）の氏名及び読者識別情報ｃを付加すると共に、購入する商品を指し示す識別子（ＱＲコード）Ｂを付加する。そして、ステップＳ２２にて、生成した印刷用データを第１印刷機２１により印刷し、ステップＳ２３にて、印刷された資料を発送システム２４により発送し、翌日の新聞と共に読者に配達する。このとき、発送システム２４は、資料に印刷されている読者の読者識別情報ｃに基づいて発送手続を行う。
【００３５】
翌日の新聞と共に請求した資料が配達されると、ステップＳ２４にて、読者は、この資料を検討し、ステップＳ２５にて、気に入った商品があれば、ＱＲコードを再び携帯電話のバーコード読み取り機能を用いて読み取り、この携帯電話またはパソコンなどの操作端末３１を用いてその情報を提供するサイトにアクセスする。そして、ステップＳ２６にて、読者は、このサイトに対して、事前に登録してあるＩＤとパスワードを用いてログインする。ステップＳ２７では、新聞社は、管理サーバ１１によりサイトにアクセスしたＩＤとパスワードにより読者（請求者）を確定する。
【００３６】
続いて、ステップＳ２８にて、読者は、サイトの表示にしたがって購入する商品を申し込む。この場合、操作に迷わないように、１クリックによる選択方法とすることが望ましい。ステップＳ２９では、新聞社は、管理サーバ１１によりサイトにアクセスした読者の関心情報を確定する。そして、ステップＳ３０にて、読者に関心のある情報内容（例えば、読者年齢層、分野、関心度−高など）を読者二次関心情報データベース１６に記憶させる。一方、ステップＳ３１にて、新聞社は、読者からの商品購入申し込みについて、広告主に対して連絡する。
【００３７】
このように読者と新聞社と広告主との間で情報のやり取りが行われる中で、新聞社は、管理サーバ１１を用いて、読者一次関心情報データベース１５の情報と読者二次関心情報データベース１６の情報を組み合わせて、読者が特に関心のある情報を読者総合関心情報データベース１７に記憶する。そして、この読者総合関心情報データベース１７に記憶された情報に基づいて、または、広告主の要望に合わせて、第２印刷機２２または第３印刷機２３を用いて新聞やこの新聞と共に配送される広告を印刷し、読者に配送する。この場合、第２印刷機２２では、特定の関心情報の広告が印刷された新聞５３を特定の地域に向けて配送する。また、第３印刷機２３では、特定の関心情報の広告が印刷された新聞５４を特定の読者に向けて配送する。この場合、第２印刷機２２で印刷した新聞５３には、地域識別情報ｄが印刷され、第３印刷機２３で印刷された新聞５４には、読者識別情報ｃ（または、地域識別情報ｄ、または、読者識別情報ｃと地域識別情報ｄ）が印刷される。
【００３８】
ここで、本実施例の新聞広告配送システムにて、新聞社における第３印刷機２３による新聞の印刷方法及び発送方法について説明する。
【００３９】
まず、第３印刷機２３のオフセット輪転印刷機にて、図１及び図３に示すように、ステップＳ１０１にて、オペレータは、操作端末１２を操作し、管理サーバ１１により記事・広告データベース１３に記憶されている情報を選択し、広域エリアにおける印刷データをレイアウト編集する。ステップＳ１０２にて、オペレータは、編集した印刷データに基づいて製版を行い、ステップＳ１０３にて、印刷ジョブを構成する。
【００４０】
そして、ステップＳ１０４にて、オフセット輪転印刷機のセットアップを行い、ステップＳ１０５にて、版胴に刷版を装着する作業を行うと共に、印刷機にウェブを通す作業を行った後、ステップＳ１０６にて、印刷機を起動する。ステップＳ１０７で、印刷が開始されると、ステップＳ１０８にて、各印刷ユニットにおける色調整作業が行われ、ステップＳ１０９にて、印刷品質が所定の品質以上であるかどうかを判定する。ここで、印刷品質が十分であれば、ステップＳ１１０にて、印刷した新聞を不良紙とせずに正紙としてスタッカへの送り出しを開始し、ステップＳ１１１にて、新聞印刷を継続する。
【００４１】
即ち、オフセット輪転印刷機にて、各給紙装置から多色刷印刷ユニットや２色刷印刷ユニットにウェブが供給されると、各印刷ユニットでは、各ウェブに対して４色刷や２色刷が行われる。そして、各印刷ユニットで印刷が施された複数のウェブは、ターンバー装置にて、走行ルートが変更されると共に、所定の順番に重ね合わせられる。そして、複数重ね合わされたウェブは、折機に搬送される。この折機では、三角板により縦折りが施された後、リードインローラやニッピングローラにより下方に送られ、折胴と鋸胴により横裁断され、一対の折込ローラにより挟持されることで折帖が形成され、羽根車により排紙コンベア上に排紙されて新聞が作成される。このとき、新聞は、印刷ユニットにより表紙における所定エリア（Ａ〜Ｅ）が空白として印刷される。
【００４２】
オフセット輪転印刷機では、紙継ぎ時に損紙が発生することから、ステップＳ１１２にて、損紙が発生すると、ステップＳ１１３にて、スタッカへの送り出しを停止し、ステップＳ１１４にて、印刷調整を行う。そして、ステップＳ１１５にて、印刷品質が所定の品質以上であるかどうかを判定し、紙継ぎ部が排出されて印刷品質が安定したら、ステップＳ１１６にて、スタッカへの送り出しを再開し、ステップＳ１１７にて、新聞印刷を継続する。
【００４３】
また、ステップＳ１１８にて、ウェブの詰まりなどにより機械停止要因が発生すると、ステップＳ１１９にて、印刷作業を中断して胴抜きなどを行うと共にスタッカへの送り出しを停止する。そして、ステップＳ１２０にて、ウェブの詰まりなどの機械停止要因が解消され、機械障害が復旧すると、ステップＳ１２１にて、印刷を再開し、ステップＳ１２２にて、印刷調整を行う。そして、ステップＳ１２３にて、印刷品質が所定の品質以上であるかどうかを判定し、印刷品質が安定したら、ステップＳ１２４にて、スタッカへの送り出しを再開する。
【００４４】
その後、ステップＳ１２５にて、新聞が所定部数印刷されたかどうかを判定し、所定部数に達したら、ステップＳ１２６にて、印刷機を停止し、ステップＳ１２７にて、新聞印刷作業を終了する。
【００４５】
次に、第３印刷機２３のインクジェットプリンタにて、図１及び図４に示すように、ステップＳ２０１にて、オペレータは、オフセット輪転印刷機の運転に合わせて操作端末１２を操作し、新聞は、オフセット輪転印刷機に印刷を行った新聞紙（ウェブ）における空白の所定エリアに対して、管理サーバ１１によりゾーン別の印刷内容を編集する。即ち、ステップＳ２０２にて、例えば、複数の地域ごとに所定エリアの印刷内容が異なることから、各ゾーン（地域）Ａ〜Ｅごとにその部数、印刷内容、配送先などを設定する。
【００４６】
ステップＳ２０３にて、インクジェットプリンタが管理サーバ１１からゾーンＡの印刷データ（広告データ）を受領すると、ステップＳ２０４にて、インクジェットプリンタによりゾーンＡの印刷作業が開始され、ステップＳ２０５にて、ゾーンＡの印刷部数のカウントが開始される。ステップＳ２０６にて、オフセット新聞輪転機の運転に合わせてインクジェットプリンタによるゾーンＡの印刷作業が継続されると共に、その印刷部数のカウントが継続されるが、オフセット新聞輪転機側でＳ１１２〜Ｓ１１６あるいはＳ１１８〜Ｓ１２４に示される印刷阻害要因が発生中はステップＳ２０７にて、インクジェットプリンタによるゾーンＡの印刷作業と印刷部数のカウントを停止する。ステップＳ２０８では、オフセット新聞輪転機側のスタッカ送り出しが再開すると、ゾーンＡの印刷部数のカウントを再開し、ステップＳ２０９にて、ゾーンＡの印刷部数が目標部数に予備部数を加えた所定部数に達したかどうかを判定する。
【００４７】
ここで、ゾーンＡの印刷部数が所定部数に達していなければ、ステップＳ２０４に戻り、ゾーンＡの印刷部数が所定部数に達していれば、ステップＳ２１０にて、インクジェットプリンタが管理サーバ１１からゾーンＢの印刷データ（広告データ）を受領する。そして、ステップＳ２１１にて、オフセット新聞輪転機の運転に合わせてインクジェットプリンタによりゾーンＢの印刷作業が開始されると共に、ゾーンＢの印刷部数のカウントが開始される。ステップＳ２１２にて、オフセット新聞輪転機の運転に合わせてインクジェットプリンタによるゾーンＢの印刷作業が継続されると共に、その印刷部数のカウントが継続されるが、オフセット新聞輪転機側でＳ１１２〜Ｓ１１６あるいはＳ１１８〜Ｓ１２４に示される印刷阻害要因が発生中はステップＳ２１３にて、インクジェットプリンタによるゾーンＢの印刷作業と印刷部数のカウントを停止する。ステップＳ２１４では、オフセット新聞輪転機側のスタッカ送り出しが再開すると、ゾーンＢの印刷部数のカウントを再開し、ステップＳ２１５にて、ゾーンＢの印刷部数が目標部数に予備部数を加えた所定部数に達したかどうかを判定する。
【００４８】
ここで、ゾーンＢの印刷部数が所定部数に達していなければ、ステップＳ２１１に戻り、ゾーンＢの印刷部数が所定部数に達していれば、ステップＳ２１６にて、インクジェットプリンタが管理サーバ１１からゾーンＣの印刷データ（広告データ）を受領する。そして、ステップＳ２１７にて、インクジェットプリンタによりゾーンＣの印刷作業が開始されると共に、ゾーンＣの印刷部数のカウントが開始される。
【００４９】
このとき、インクジェットプリンタに管理サーバ１１からゾーンＢの印刷部数の追加要求指令が入ると、ステップＳ２１８にて、インクジェットプリンタによるゾーンＣの印刷作業を中断すると共に、ゾーンＣの印刷部数のカウントを中断する。そして、ステップＳ２１９にて、インクジェットプリンタによりゾーンＢの追加印刷作業を開始すると共に、ゾーンＢの追加印刷部数のカウントを開始する。ステップＳ２２０では、ゾーンＢの追加印刷部数が追加所定部数に達したかどうかを判定し、ゾーンＢの追加印刷部数が追加所定部数に達していなければ、印刷作業を継続し、ゾーンＢの追加印刷部数が追加所定部数に達していれば、ステップＳ２２１にて、インクジェットプリンタによるゾーンＢの追加印刷作業を停止すると共に、ゾーンＢの追加印刷部数のカウントを停止する。そして、ステップＳ２２２にて、インクジェットプリンタによりゾーンＣの印刷作業を再開し、ステップＳ２３にて、ゾーンＣの印刷部数のカウントを再開する。
【００５０】
このような作業の繰り返しによりオフセット輪転印刷機に印刷を行った新聞紙（ウェブ）における空白の所定エリアに対して、ゾーンＡ〜Ｅごとの印刷作業を行う。そして、ステップＳ２２４にて、ゾーンＥの印刷部数が目標部数に予備部数を加えた所定部数に達したかどうかを判定し、ゾーンＥの印刷部数が所定部数に達していれば、印刷作業を終了する。
【００５１】
ところで、インクジェットプリンタでは、新聞紙（ウェブ）における空白の所定エリアに対するゾーンＡ〜Ｅごとの印刷部数をカウントするが、発送システムでもゾーンＡ〜Ｅごとの印刷部数を紙面上の識別情報ｄを読み取ることでカウントしており、新聞の搬送時間遅れを考慮し、実際には、発送システムでカウントした印刷部数が正規のカウント部数として発送作業を行う。
【００５２】
即ち、発送システム２４にて、図１及び図５に示すように、ステップ３０１にて、管理サーバ１１からゾーンＡ〜Ｅの目標印刷部数と配送先を受領し、ステップＳ３０２にて、インクジェットプリンタによるゾーンＡの印刷作業の開始指令（図４のステップＳ２０４）を受け、ゾーンＡが印刷された新聞を受け入れるスタッカを準備する。続いて、ステップＳ３０３にて、インクジェットプリンタでのゾーンＡの印刷部数のカウントを開始する指令（図４のステップＳ２０５）を受け、ゾーンＡが印刷された新聞の部数のカウントを開始する。インクジェットプリンタでの印刷が停止中（図４のステップＳ２０７）はステップＳ３０４の通り、ゾーンＡが印刷された新聞の部数のカウントを停止し、インクジェットプリンタでの印刷再開（図４のステップＳ２０８）後はステップＳ３０５の通り、ゾーンＡが印刷された新聞の部数のカウントを再開する。
【００５３】
ステップＳ３０６にて、発送システムはゾーンＡの印刷部数が目標部数に達したかどうかを判定する。ここで、ゾーンＡの印刷部数が目標部数に達する前にゾーンＢの印刷物に切り替わった場合は、管理サーバ１１からインクジェットプリンタに追加印刷指令を出すが、ゾーンＡの印刷部数が目標部数に達していれば、ゾーンＡの印刷が終了し、ゾーンＡ向けの新聞紙を発送する。
【００５４】
ステップＳ３０７にて、インクジェットプリンタによるゾーンＢの印刷作業の開始指令（図４のステップＳ２１１）を受け、ゾーンＢが印刷された新聞を受け入れるスタッカを準備し、ステップＳ３０８にて、ゾーンＢが印刷された新聞の部数のカウントを開始する。インクジェットプリンタでの印刷が停止中（図４のステップＳ３１３）は、ステップＳ３０９の通り、ゾーンＢが印刷された新聞の部数のカウントを停止し、インクジェットプリンタでの印刷再開（図４のステップＳ２１４）後はステップＳ３１０の通り、ゾーンＢが印刷された新聞の部数のカウントを再開する。
【００５５】
ステップＳ３１１にて、発送システムは、ゾーンＢの印刷部数が目標部数に達したかどうかを判定する。ここで、ゾーンＢの印刷部数が目標部数に達する前にゾーンＣの印刷物に切り替わった場合は、ステップＳ３１２にて、管理サーバ１１からインクジェットプリンタにゾーンＢの追加印刷刷指令を出す。従って、上述したように、インクジェットプリンタでは、図４のステップＳ２１８〜Ｓ２２１の処理を行う。
【００５６】
ステップＳ３１３では、インクジェットプリンタでの指令（図４のステップＳ２１８，Ｓ２１９）を受け、ゾーンＢが印刷された新聞を受け入れるスタッカを準備し、ステップＳ３１４にて、ゾーンＢが印刷された新聞の部数のカウントを再開する。そして、再び、ステップＳ３１１にて、インクジェットプリンタでの指令（図４のステップＳ２２０）を受け、ゾーンＢの印刷部数が目標部数に達したかどうかを判定し、ここで、ゾーンＢの印刷部数が目標部数に達していれば、ゾーンＢの印刷が終了する。
【００５７】
続いて、ステップＳ３１５にて、インクジェットプリンタによるゾーンＣの印刷作業の開始指令（図４のステップＳ２１７）を受け、ゾーンＣが印刷された新聞を受け入れるスタッカを準備し、ステップＳ３１６にて、ゾーンＣが印刷された新聞の部数のカウントを開始する。
【００５８】
このような作業の繰り返しにより発送システム２４で、ゾーンＡ〜Ｅごとの発送作業を行う。そして、ステップＳ３１７にて、ゾーンＥの印刷部数が目標部数に達したかどうかを判定し、ゾーンＥの印刷部数が目標部数に達していれば、発送作業を終了し、第３印刷機２３に対して印刷終了信号を出力する。
【００５９】
なお、この発送システムでは、識別情報リーダにより新聞の表示に印刷された読者識別情報ｃや地域別情報ｄが読み取られ、販売代理店と発送エリアが決定される。そして、各新聞が配送先別のコンベヤに仕分され、販売代理店向けのスタックが生成され、所定の部数に達するとラベルが貼られ、所定の販売エリアへのトラックに積み込まれ、販売代理店に搬送される。
【００６０】
このように本実施例の新聞広告配送システムにあっては、新聞または広告に印刷された識別子を用いて読者が新聞社に対して所望する特定の情報に関して請求したとき、新聞社がこの受取った読者からの請求内容に基づいて読者が所望する特定の情報に関する詳細情報を資料として第１印刷機２１で印刷し、印刷された資料を新聞と共に読者に配送するようにしている。
【００６１】
従って、新聞または広告の識別子を用いて読者が所望する特定の情報を得ることで、顧客が関心を示す情報を容易に把握することができ、特定情報の広告に関心を持つ読者に絞って特定の情報に関する詳細情報の資料を配送することができる。
【００６２】
また、本実施例の新聞広告配送システムでは、資料に印刷された読者が所望する特定の情報に基づいて商品購入の申し込みをしたときと、この読者から申し込み内容を広告主に伝達するようにしている。従って、読者は商品の購入を容易に行うことができる。
【００６３】
また、本実施例の新聞広告配送システム印刷機では、読者からの請求情報を記憶する一次関心情報データベース１５と、読者からの申し込み情報を記憶する二次関心情報データベース１６と、一次関心情報データベース及び二次関心情報データベースに記憶された情報に基づいて新聞または広告に読者に関心のある情報を印刷する第２印刷機２２を設けている。従って、２つのデータベース１５，１６を用いて地域ごとの読者が特に関心のある情報を把握することができると共に、この特に関心のある情報を第２印刷機により容易に地域向けに印刷することができる。
【００６４】
また、本実施例の新聞広告配送システムでは、第３刷機２３として、版を用いて所定の情報をシートに印刷するオフセット輪転印刷機と、読者が関心のある特定の情報をシートの特定箇所にデジタル印刷するデジタル印刷機とを設けている。従って、オフセット輪転印刷機により一般的な記事や広告を印刷し、デジタル印刷機により個々の読者または小さな特定地域の読者が関心のある特定の情報を印刷するため、新聞や広告を短時間で効率的に印刷することができる。
【００６５】
また、本実施例の新聞広告配送システムでは、デジタル印刷機は、新聞または広告の特定箇所に読者識別情報を印刷可能としており、デジタル印刷機により読者識別情報を容易に印刷することができると共に、この読者識別情報を用いて配送を円滑に行うことができる。
【００６６】
本実施例の新聞広告配送システムでは、上述した構成をとることで、読者にとっては、パソコンやインターネットなどに詳しくなくても、容易に関心のある情報を得ることができる。この場合、所望の情報が新聞と共に提供されることから、迅速で、且つ、無料となり、相手先が新聞社であることから、個人情報の流出に対して安心感を得ることができる。
【００６７】
また、広告主にとっては、新聞の読者と情報のやり取りが可能になることから、広告の効果を定量的に把握することができる。そのため、ヒット率の高い広告を効率的に読者に提供することができ、広告コストを低減することができる。また、読者情報だけでなく、地域情報を把握することができ、地域別のニーズや傾向を把握して商品の販売戦略や重点地域などを容易に決定することができる。更に、パソコンやインターネットなどに詳しくない人も対象にできることから、広告の提供範囲を拡大することができる。
【００６８】
更に、新聞社にとっては、広告のニーズが高まり、広告費をアップすることができ、また、広告を地域別に細分化することで、総広告費を増加させることが可能となる。また、読者との情報のやり取りにより蓄積した各種のデータベースにより更なる新聞の価値を高めることができる。
【００６９】
なお、上述した実施例では、識別子を、ネットワークを通して情報の詳細を閲覧可能な識別子（１次元バーコード、２次元バーコードなど）としたが、これに限定されるものではない。例えば、電話番号（フリーダイヤル）とし、読者は、電話回線を用いて情報を提供する会社にアクセスし、音声ガイダンスにしたがって関心のある情報の詳細内容を請求するようにしてもよい。
【産業上の利用可能性】
【００７０】
本発明に係る新聞広告配送システムは、顧客が関心を示す情報を容易に把握することで、特定情報の広告に関心を持つ読者に絞って配送可能とするものであり、新聞の配送システムに好適である。
【図面の簡単な説明】
【００７１】
【図１】本発明の一実施例に係る新聞広告配送システムを表す概略構成図である。
【図２】本実施例の新聞広告配送システムにおける新聞広告の配送方法を表すフローチャートである。
【図３】オフセット輪転印刷機による印刷方法を表すフローチャートである。
【図４】インクジェットプリンタによる印刷方法を表すフローチャートである。
【図５】発送システムによる発送方法を表すフローチャートである。
【符号の説明】
【００７２】
１１  管理サーバ（情報請求受取手段、商品購入申し込み受取手段、内容伝達手段）
１２  操作端末
１３  記事・広告データベース
１４  広告詳細データベース
１５  読者一次関心情報データベース
１６  読者二次関心情報データベース
１７  読者総合関心情報データベース
２１  第１印刷機（デジタル印刷機）
２２  第２印刷機（オフセット輪転印刷機）
２３  第３印刷機（オフセット輪転印刷機＋デジタル印刷機）
２４  発送システム（発送手段）
【図１】
2010055418.tif 000003
【図２】
2010055418.tif 000004
【図３】
2010055418.tif 000005
【図４】
2010055418.tif 000006
【図５】
2010055418.tif 000007